(57)【要約】【課題】所定の情報を印刷処理したときに、記録紙に印刷された情報ごとの印刷履歴等の確認、印刷結果の処理状態の確認を容易とする。【解決手段】印刷管理システム１０では、印刷処理装置１２で記録紙１６ごとに顧客情報を印刷するとき、顧客ＩＤ及び再プリント回数を、ジョブデータと合成して記録紙に印刷する。また、印刷処理が終了すると、顧客ＩＤと再プリント回数を、印刷結果を特定可能とする情報として印刷管理サーバ６６に格納し、印刷結果ごとに処理状態を閲覧可能とする。これと共に、シュレッダ７０によって印刷出力された記録紙を細断するときに、該当記録紙に印刷された顧客ＩＤと再プリント回数を入力することにより、印刷管理サーバは、該当記録紙の処理状態を「破棄処理完了」に更新する。これにより、印刷不良が発生したときに、該当記録紙が適切に処分されたかを確認できる。【選択図】図１
2008080494.tif 000002
【特許請求の範囲】
【請求項１】
印刷ジョブのデータに基づいて記録紙に印刷処理を行う印刷処理装置において、
前記記録紙１枚分の前記印刷ジョブのデータごとに計数値を割り当てると共に計数値として初期値を設定する計数値設定手段と、
前記計数手段の計数値のイメージを前記印刷ジョブのデータに基づいたイメージと合成して、印刷ジョブのデータを前記記録紙に印刷する印刷処理手段と、
前記印刷ジョブのデータが前記記録紙に印刷された時点で計数値を増分する計数手段と、
を含むことを特徴とする印刷処理装置。
【請求項２】
前記記録紙の両面に前記印刷ジョブのデータを印刷するときに、記録紙の表裏面の何れか一方に印刷処理されたときに、前記計数手段が、前記計数値を増分することを特徴とする請求項１に記載の印刷処理装置。
【請求項３】
前記印刷処理手段が電子写真プロセスを用いて印刷処理を行うときに、前記記録紙が定着プロセスを通過したときに、前記計数手段が、前記計数値を増分することを特徴とする請求項１又は請求項２に記載の印刷処理装置。
【請求項４】
前記印刷ジョブのデータが印刷された前記記録紙又は前記記録紙の一部を識別可能とする固有の識別子及び前記計数値を識別データとして印刷すると共に、前記識別子と前記計数手段によって増分された計数値を、エラー発生時の再印刷処理時を含めた印刷結果ごとの処理状態を格納手段に格納することを特徴とする請求項１に記載の印刷処理装置。
【請求項５】
前記記録紙に印刷される前記識別データが、前記識別子及び前記計数値を視認可能な符号及びバーコードを含むことを特徴とする請求項４に記載の印刷処理装置。
【請求項６】
前記記録紙に印刷される前記識別データが、前記識別子及び前記計数値を視認可能な符号及び二次元コードを含むことを特徴とする特徴とする請求項４に記載の印刷処理装置。
【請求項７】
前記請求項４から請求項６の何れか１項に記載の印刷処理装置と、
前記印刷処理装置で前記印刷不良が発生した前記記録紙を、印刷された情報が不可視状態となるようにして廃棄する廃棄手段と、
前記廃棄手段に設けられて廃棄される前記記録紙に印刷された前記識別データに基づいて前記識別子及び前記計数値を入力する入力手段と、
前記入力手段から入力される前記識別子及び計数値によって特定される前記格納手段に格納された前記印刷結果の処理情報を更新する更新手段と、
を含むことを特徴とする印刷管理システム。
【請求項８】
前記廃棄手段が、前記記録紙を細断する細断装置であることを特徴とする請求項３又は請求項７に記載の印刷管理システム。
【請求項９】
前記入力手段としてバーコードリーダを設けていることを特徴とする請求項７又は請求項８に記載の印刷管理システム。
【請求項１０】
前記入力手段として二次元コードリーダを設けていることを特徴とする請求項７又は請求項８に記載の印刷管理システム。
【請求項１１】
前記入力手段としてキーボードが設けられていることを特徴とする請求項７から請求項１０の何れか１項に記載の印刷管理システム。
【請求項１２】
前記格納手段に格納された前記識別子及び前記計数値ごとの前記印刷結果の前記処理状態を閲覧可能とすることを特徴とする請求項７から請求項１１の何れか１項に記載の印刷管理システム。
【発明の詳細な説明】
【技術分野】
【０００１】
本発明は、印刷データに応じて情報を記録紙に形成する印刷処理装置に係り、印刷処理装置及び、印刷処理された記録紙ないし記録紙に印刷した情報を管理する印刷管理システムに関する。
【背景技術】
【０００２】
近年、各種の情報の電子化が進行しており、機密文書なども電子データ（デジタルデータ）として保管されるようになっている。また、プリンタなどの画像形成装置が普及しており、電子化された各種のデータに基づいた印刷処理が行われるようになっている。
【０００３】
プリンタなどでは、印刷処理が終了した記録紙を装置外に排出し、排出トレイ上などに集積するようになっており、プリンタを用いて電子化された情報を印刷処理した場合、プリンタから排出された印刷物上から電子化された情報を容易に視認することができる。
【０００４】
これにより、機密情報であってもその情報が漏洩してしまう可能性があり、印刷処理したときの印刷物上から機密情報が漏洩するのを防止する提案がなされている（例えば、特許文献１参照。）。
【０００５】
この特許文献１の提案では、機密文書が排出されたときに、該当トレイを扉によって閉塞して印刷物の視認が困難となるようにすることにより、印刷出力した記録紙から機密情報が漏洩してしまうのを防止するようにしている。
【０００６】
ところで、プリンタなどでは、記録紙を搬送しながら印刷処理を行い、印刷処理が終了した記録紙を排出するようにしている。また、プリンタなどでは、ジャム等が発生すると、該当記録紙を搬送路から除去する必要があるが、印刷処理が完了した記録紙が除去される場合、除去された記録紙から情報漏洩する危険性がある。このために、除去される記録紙上からの情報漏洩を防止する提案がなされている（例えば、特許文献２参照。）。
【０００７】
この特許文献２の提案では、ジャム発生時に記録紙を取り出すための扉にロック機構を設け、進展印刷モードで印刷処理を行っているときに、印刷処理の終了した記録紙にジャムが発生すると、ロック機構を作動させる。このロック解除を、ユーザー識別子とパスワードが一致したときに行うことにより、不必要に扉のロックを行ってジャム解除を妨げることなく、ジャムの解除を行うときに機密情報が漏洩してしまうのを防止するようにしている。
【特許文献１】特開平９−２１６７５９号公報
【特許文献２】特開２００３−３３５０１７号公報
【発明の開示】
【発明が解決しようとする課題】
【０００８】
しかしながら、該当印刷物を受け取る顧客から見ると、正常に出力された結果が送られてくるだけであり、機密情報を含む通知書や請求書等を出力する過程でジャムなどのエラーが発生しなかったかどうか、また、エラーが発生したならば、自分の機密情報が印刷された状態で除去された記録紙が適正に処分されたかどうかを確認する手段がなかった。
【０００９】
本発明は上記事実に鑑みてなされたものであり、所定の情報を印刷処理したときに、該当ページが正常に１度だけ出力されたか、あるいは、ジャム等のエラーが発生し、再印刷が行なわれたかを容易に判別することができ、また、印刷エラーの発生や除去された記録紙の処分状況を含む印刷履歴等の確認が可能となる印刷処理装置及び印刷管理システムを提供することを目的とする。
【課題を解決するための手段】
【００１０】
上記目的を達成する本発明の請求項１に係る印刷処理装置は、印刷ジョブのデータに基づいて記録紙に印刷処理を行う印刷処理装置において、前記記録紙１枚分の前記印刷ジョブのデータごとに計数値を割り当てると共に計数値として初期値を設定する計数値設定手段と、前記計数手段の計数値のイメージを前記印刷ジョブのデータに基づいたイメージと合成して、印刷ジョブのデータを前記記録紙に印刷する印刷処理手段と、前記印刷ジョブのデータが前記記録紙に印刷された時点で計数値を増分する計数手段と、を含むことを特徴とする。
【００１１】
この発明によれば、記録紙１枚分のデータごとに、計数値が割り当てられると共に計数値が初期化されて所定の初期値に設定される。この計数値は、イメージ化されて、元の印刷ジョブのデータのイメージと合成されて印刷出力される。また、計数手段は、該当印刷ジョブのデータを記録紙に印刷された時点で計数値を増分する。
【００１２】
したがって、正常な印刷処理時は、常に初期値が記録紙に印刷されるが、ジャム等のエラーが発生し、当該印刷ジョブのデータが再度記録紙に印刷される場合、記録紙には、増分された計数値が印刷される。
【００１３】
このような印刷処理装置においては、前記記録紙の両面に前記印刷ジョブのデータを印刷するときに、記録紙の表裏面の何れか一方に印刷処理されたときに、前記計数手段が、前記計数値を増分するものであることが好ましく、前記印刷処理手段が電子写真プロセスを用いて印刷処理を行うときに、前記記録紙が定着プロセスを通過したときに、前記計数手段が、前記計数値を増分するものであれば良い。
【００１４】
また、本発明の印刷処理装置は、前記印刷ジョブのデータが印刷された前記記録紙又は前記記録紙の一部を識別可能とする固有の識別子及び前記計数値を識別データとして印刷すると共に、前記識別子と前記計数手段によって増分された計数値を、エラー発生時の再印刷処理時を含めた印刷結果ごとの処理状態を格納手段に格納することを特徴とする。
【００１５】
この発明によれば、記録紙１枚又はその一部を識別する識別子と計数値を識別データとして記録紙に印刷すると共に、識別子と計数手段によって増分された計数値を格納手段に格納する。
【００１６】
これにより、再印刷が行われたときには、同一の識別子で計数値のみを更新した識別データを印刷することができる。
【００１７】
一方、印刷処理が終了した時には、識別子と印刷処理が行われるごとに増分される計数値が格納手段に格納される。これにより、格納手段に格納された情報から、識別子ごとの再印刷回数を把握できると共に、破棄しなければならない記録紙の量を、識別子ごとに的確に判断することができる。
【００１８】
このような本発明においては、前記記録紙に印刷される前記識別データが、前記識別子及び前記計数値を視認可能な符号及びバーコードを含むものであっても良く、また、前記記録紙に印刷される前記識別データが、前記識別子及び前記計数値を視認可能な符号及び二次元コードを含むものであっても良い。また、これに限らず、予め設定されたものであれば、任意のコード化を適用することができる。
【００１９】
本発明の印刷管理システムは、前記請求項４から請求項６の何れか１項に記載の印刷処理装置と、前記印刷処理装置で前記印刷不良が発生した前記記録紙を、印刷された情報が不可視状態となるようにして廃棄する廃棄手段と、前記廃棄手段に設けられて廃棄される前記記録紙に印刷された前記識別データに基づいて前記識別子及び前記計数値を入力する入力手段と、前記入力手段から入力される前記識別子及び計数値によって特定される前記格納手段に格納された前記印刷結果の処理情報を更新する更新手段と、を含むことを特徴とする。
【００２０】
この発明によれば、識別子ごとの計数値に応じた印刷結果と、印刷結果ごとの処理状態を格納手段に格納する。廃棄手段は、印刷不良として出力された記録紙を、印刷されている情報が確認できなくなるように廃棄処理する。これにより、印刷不良として出力された記録紙から印刷された情報が漏洩されないようにする。
【００２１】
また、廃棄手段には、入力手段が設けられており、廃棄した記録紙に印刷された識別データに基づいて、識別子及び計数値が入力される。更新手段は、この識別子及び計数値によって特定される印刷結果の状態を、例えば、廃棄処分が終了したものとして更新する。
【００２２】
これにより、格納手段に格納されている情報から、廃棄処分が必要な印刷結果のそれぞれが、適正に廃棄処理されているかを確認することができ、廃棄処分しなければならないのに、廃棄処分されずに残ることがないようにすることができる。
【００２３】
このような本発明の印刷管理システムにおいては、前記廃棄手段が、前記記録紙を細断する細断装置を適用することができる。
【００２４】
また、本発明の印刷管理システムでは、前記入力手段としてバーコードリーダを設けても良く、前記入力手段として二次元コードリーダを設けても良く、さらに、前記入力手段としては、キーボードを含んでも良い。すなわち、入力手段としては、識別データをコード化したときに、コード化に応じた読取手段を入力手段として設ければ良く、また、識別データを特定可能な文字列を記録紙に印刷するときには、入力手段としてキーボードを用いることができる。
【００２５】
また、本発明の印刷管理システムは、前記格納手段に格納された前記識別子及び前記計数値ごとの前記印刷結果の前記処理状態を閲覧可能とすることを特徴とする。
【００２６】
この発明によれば、格納手段に格納している情報を、例えば、ネットワーク等を介して閲覧可能に公開する。これにより、顧客情報の印刷処理を行ったときに、顧客が、自身の情報が漏洩されることがないように適切に処理されているか否かを確認することができる。
【発明の効果】
【００２７】
以上説明したように本発明の印刷処理装置によれば、印刷処理を行ったときに、印刷不良が発生して、破棄しなければならない記録紙が生じているか否かを正確に確認することができる。
【００２８】
また、本発明の印刷管理システムによれば、破棄しなければならない印刷出力が、適切に破棄されているか否かを正確に確認することができるという優れた効果が得られる。
【発明を実施するための最良の形態】
【００２９】
以下に、図面を参照しながら本発明の実施の形態を詳細に説明する。図１には、本実施の形態に係る印刷管理システム１０の概略構成を示している。この印刷管理システム１０は、印刷処理装置１２を含んで形成されている。
【００３０】
図２には、印刷処理装置１２の概略構成を示している。印刷処理装置１２は、ケーシング１４内に、印刷処理に用いる記録紙１６が収容される給紙部１８、記録紙１６に印刷処理を施す画像形成部２０、印刷処理された記録紙１６を集積するストック部２２及び、印刷装置１２の作動を制御するコントローラ部２４とを含んで形成されている。また、ケーシング１４内には、給紙部１８から画像形成部２０を経てストック部２２へ至る記録紙１６の搬送路２６が形成されている。
【００３１】
給紙部１８には、それぞれに多数枚の記録紙１６を積層して収容可能な複数の給紙トレイ２８が設けられている。なお、本実施の形態では、一例として給紙トレイ２８Ａ、２８Ｂ、２８Ｃ、２８Ｄを設け、給紙トレイ２８Ａ、２８Ｂを上下に配列し、給紙トレイ２８Ｂ〜２８Ｄを水平方向に沿って配列している。なお、給紙トレイ２８の数及び配列はこれに限るものではない。
【００３２】
給紙部１８では、給紙トレイ２８から最上層の記録紙１６を取り出して搬送路２６へ送り込む。これにより、記録紙１６が画像形成部２０へ向けて順に搬送される。
【００３３】
画像形成部２０には、現像器３０と無端の転写ベルト３２が設けられている。現像器３０は、例えば、電子写真プロセスを適用して、図示しない感光体ドラム上に、印刷データに応じたトナー像を形成し、このトナー像を転写ベルト３２に転写する。
【００３４】
なお、現像器３０として、Ｋ色のトナー像ないしＹ、Ｍ、Ｃ、Ｋの各色のトナー像の形成が可能となっており、これにより、単色画像又はフルカラー画像の形成が可能となっている。また、現像器３０としては、感光体ドラムを用いずに、トナー像を転写ベルト３２上に直接形成するなどの任意の構成を適用することができる。
【００３５】
画像形成部２０には、転写部３４が設けられており、トナー像が転写された転写ベルト３２の移動に同期して記録紙１６が転写部３４へ送り込まれ、記録紙１６と転写ベルト３２（トナー像）を重ね合わせる。これにより、記録紙１６にトナー像が転写される。
【００３６】
また、画像形成部２０には、定着器３６が設けられている。定着器３６には、所定温度に加熱された定着ロール３６Ａが設けられている。トナー像が転写されて転写ベルト３２から剥離された記録紙１６は、定着器３６に送り込まれるようになっており、定着器３６では、この記録紙１６を定着ロール３６Ａによって加圧しながら加熱し、記録紙１６に転写されたトナーを溶融定着させる。これにより、記録紙１６に、印刷データに応じた画像が形成（印刷）される。
【００３７】
搬送路２６には、反転部３８が設けられており、反転部３８は、定着処理の終了した記録紙１６が送り込まれることより、この記録紙１６の搬送方向を反転して転写部３４の上流側へ送り込む。これにより、印刷処理装置１２では、記録紙１６の表裏両面への印刷処理（両面印刷処理）が可能となっている。
【００３８】
一方、ストック部２２には、印刷処理の終了した記録紙１６が積層される排紙トレイ４０が設けられている。なお、本実施の形態では、一例として排紙トレイ４０Ａ、４０Ｂを設けている。
【００３９】
印刷処理が終了した記録紙１６は、ストック部２２へ送り込まれることにより、排紙トレイ４０Ａ又は排紙トレイ４０Ｂ上に載置されて集積される。
【００４０】
このように構成されている印刷処理装置１２では、ホストコンピュータ４４（図３参照）から印刷ジョブが入力されると、例えば、記録紙１６の１ページ分ずつ印刷データを生成（例えばラスタデータに展開）し、この印刷データに基づいて、画像形成部２０で記録紙１６への印刷処理を行うようになっている。
【００４１】
一方、印刷処理装置１２に設けているコントローラ部２４では、印刷処理装置１２の作動を制御しながら、印刷不良の発生の有無を検出するようになっている。
【００４２】
また、ストック部２２には、パージトレイ４２が設けられており、コントローラ部２４では、印刷不良を検出すると、該当記録紙１６を、パージトレイ４２へ送り出して、パージトレイ４２に集積するようになっている。
【００４３】
これにより、印刷処理装置１２では、印字ミス、搬送不良などによる印刷ミスなどが生じた記録紙１６を、まとめて、シュレッダなどの破棄処理装置によって廃棄処分を行うことができるようになっている。なお、印刷不良の検出は、任意の構成を適用することができ、ここでは詳細な説明を省略する。
【００４４】
図３に示されるように、印刷処理装置１２は、コントローラ部２４にホストコンピュータ４４が接続されており、このホストコンピュータ４４から出力された印刷ジョブに基づいた印刷処理が可能となっている。
【００４５】
ホストコンピュータ４４では、例えば、図示しないデータベースから、顧客ごとの情報（顧客データ）を読み込み、顧客データに基づいて、例えば、通知書や請求書などを印刷するための顧客ごとのジョブデータを作成し、このジョブデータを印刷ジョブとして印刷処理装置１２へ出力する。
【００４６】
これにより、印刷処理装置１２では、例えば、図４（Ａ）に示される顧客ごとの請求書や通知書の印刷処理を行うことができるようになっている。なお、図４（Ａ）では、１顧客分のジョブデータを用いて、１枚の記録紙１６に両面印刷を施すものとしている。
【００４７】
ところで、図３に示されるように、印刷処理装置１２のコントローラ部２４には、ホストコンピュータ４４から送信された印刷ジョブを受信するジョブデータ受信部４６及び識別情報抽出部４８が設けられている。識別情報抽出部４８では、ジョブデータ受信部４６で受信した印刷ジョブの顧客ごとのジョブデータから、顧客ＩＤなどの顧客ごとの識別子（以下、顧客ＩＤとする）を抽出する。
【００４８】
また、コントローラ部２４には、印刷ジョブのジョブデータを、１ページ分ずつの印刷用のデータに展開するデータ展開部５０が設けられており、このデータ展開部５０で生成された印刷データ（例えばラスタデータ）を、画像形成部２０へ出力することにより、画像形成部２０で記録紙１６への印刷処理が実行される。
【００４９】
また、コントローラ部２４には、データ合成部５２及びデータ展開部５４が設けられている。データ展開部５４は、ジョブデータから抽出した顧客ＩＤを含む情報をバーコード化するなどして、機械的に読み取り可能とするデータ（以下、識別データとする）を生成すると共に、識別データを記録紙１６への印刷データ（ラスタデータ）に展開する。
【００５０】
データ合成部５２は、データ展開部４８、５４で生成された印刷データを合成して、１ページ分の印刷データを生成する。
【００５１】
印刷処理装置１２では、データ合成部５２で合成された印刷データが画像形成部２０へ出力されることにより、記録紙１６へジョブデータと識別データが印刷される。なお、データ合成部５２では、両面印刷を行うときに、例えば、記録紙１６に最初に印刷される面など、少なくとも一方の面に識別データが含まれるようにデータ合成を行なうが、これに限らず、表裏両面に識別データが記録されるようにしても良い。
【００５２】
一方、図２に示されるように、印刷処理装置１２には、定着器３６の下流側に隣接して、記録紙検出センサ５６が設けられている。この記録紙検出センサ５６は、定着処理が終了した記録紙１６を検出すると共に、該当記録紙１６から、バーコードなどの顧客を特定する情報（識別データ）を読み込むようになっている。なお、本実施の形態では、識別データとしてバーコードを含むようにしており、記録紙検出センサ５６は、この識別データ（バーコード）を検出する。
【００５３】
図３に示されるように、コントローラ部２４には、計数手段であるカウント部５８及び記憶手段である記憶部６０が設けられている。このカウント部５８には、識別情報抽出部４８で抽出された顧客ＩＤが入力される。また、カウント部５８には、記録紙検出センサ５６によって検出される情報が入力されるようになっている。
【００５４】
カウント部５８では、前記識別情報抽出部４８から顧客ＩＤを取得すると、例えば、顧客ごとの印刷回数である印刷枚数をカウント（計数）し、カウント値（計数値）を記憶部６０に記憶する。また、前記したデータ展開部５４では、記憶部６０に記憶されているカウント値に基づいて、識別データに印刷回数（プリント回数）を含ませた印刷データを生成する。
【００５５】
コントローラ部２４では、印刷不良が発生すると、該当記録紙１６に記録すべき内容の再印刷を行う。ここから、カウント部５８では、同一の顧客に対して最初に実行するときのカウント値（初期値）を「０」として、該当する顧客ＩＤに対するジョブデータの印刷処理を行うごとにカウント値のカウントアップを行い、記憶部６０に記憶する顧客ごとのカウント値を更新し、顧客（顧客ＩＤ）ごとの印刷回数が記憶されるようになっている。
【００５６】
すなわち、同一の顧客のジョブデータに基づいて最初の印刷処理を行うときには、記憶部６０に、先ず、カウント値Ｃ＝０が記憶され、データ展開部５４では、このカウント値Ｃと顧客ＩＤを含む識別データに基づいた印刷データを生成し、生成された印刷データが、データ合成部５２でジョブデータの印刷データに合成される。
【００５７】
これにより、印刷処理装置１２では、例えば、図４（Ｂ）に示されるように、最初のページ（ここでは、一例として記録紙１６の表面）の所定の位置に、再プリント回数６２が印刷されると共に、この再プリント回数と顧客ＩＤを示すバーコード６４が印刷される。
【００５８】
なお、プリント回数６２及びバーコード６４の印刷位置は、予め設定された位置や、通常のフォーム（図４（Ａ）参照）から余白領域を取得して、所得した余白領域内の所定位置、任意の位置などとすることができる。
【００５９】
したがって、最初の印刷処理を実行するときには、再プリント回数が「０」（「００」）として印刷され、この記録紙１６が、定着器３６を通過して、印刷結果が確定（消失不能）となったときに、記録紙検出センサ５６が、該当記録紙１６を検出して、バーコード６４から顧客ＩＤを取得する。
【００６０】
カウント部５８は、記録紙検出センサ５６から顧客ＩＤが入力されることにより、該当顧客ＩＤに対するカウント値Ｃをカウントアップする。これにより、記憶部６０には、該当顧客ＩＤの顧客に対する印刷処理が１回行われたことを示すデータ（カウント値Ｃ＝１）が記憶される。
【００６１】
ここで、印刷不良が発生し、再印刷の必要が生じると、該当印刷ジョブが、ジョブデータ抽出部４６に読み込まれ、記憶部６０に記憶されたカウント値Ｃ（ここではＣ＝１）が、再プリント回数６２として記録する印刷処理が行われる。また、この印刷処理がなされた記録紙１６が、記録紙検出センサ５６に検出されることにより、該当顧客ＩＤに対するカウント値Ｃが更新されて記憶部６０に記憶される。
【００６２】
これにより、印刷処理装置１２では、顧客ＩＤごとのプリント回数（カウント値Ｃ）が記憶部６０に記憶されて保持される。
【００６３】
一方、図１に示されるように、印刷管理システム１０には、印刷管理サーバ６６が設けられており、この印刷管理サーバ６６が、ネットワーク６８等を介して印刷処理装置１２（例えばコントローラ部２４）に接続されている。
【００６４】
これにより、印刷管理サーバ６６は、印刷処理装置１２が、記憶部６０に記憶されている印刷ジョブごとの顧客ＩＤと顧客ＩＤに対するプリント回数を読み込んで格納する。
【００６５】
また、印刷管理システム１０では、印刷処理装置１２の近傍に、破棄処理手段としてシュレッダ７０が設けられている。このシュレッダ７０は、ネットワーク６８等を介して印刷管理サーバ６６に接続している。
【００６６】
シュレッダ７０には、バーコードリーダ７２などの読み取り手段ないしキーボード７４などの入力手段が設けられている。
【００６７】
印刷処理装置１２でパージトレイ４２へ出力された記録紙１６は、シュレッダ７０によって細断されて破棄される。このとき、バーコードリーダ７２によって記録紙１６に印刷されているバーコード６４を読み取るか、キーボード７４から顧客ＩＤ及び再プリント回数が入力されることにより、該当記録紙１６が、シュレッダ７０によって細断されて処分されたことを示す情報が、印刷管理サーバ６６に入力される。
【００６８】
これにより、印刷管理サーバ６６では、該当情報が印刷された記録紙１６の処理結果を更新するようにしている。すなわち、印刷管理サーバ６６では、シュレッダ７０が入力された顧客ＩＤとプリント回数に基づいて、該当印刷出力に対する処理結果を、「細断処理完了」などとして、格納している情報の更新を行う。
【００６９】
また、この印刷管理サーバ６６は、ネットワーク６８等を介して、公開可能としており、これにより、顧客がパーソナルコンピュータ７６、携帯電話などのネットワーク機器を介して、印刷処理装置１２から出力された印刷結果の処理状況の確認が可能となるようにしている。
【００７０】
ここで、印刷処理装置１２での印刷処理の管理及び印刷管理サーバ６６での印刷結果の管理を説明する。
【００７１】
印刷処理装置１２は、ホストコンピュータ４４等から印刷ジョブが入力されることにより印刷処理を実行する。これにより、記録紙１６には、印刷ジョブの各ページのジョブデータに基づいて印刷処理がなされてストック部２２の排紙トレイ４０に集積される。
【００７２】
ところで、印刷処理装置１２では、顧客情報を含む印刷ジョブが入力されることにより、印刷結果の管理が可能となるようにしている。図５（Ａ）には、このときの処理の概略を示している。
【００７３】
印刷処理装置１２に設けているコントローラ部２４では、ホストコンピュータ４４から印刷ジョブが送信されたことを検出するとこのフローチャートを実行し、最初のステップ１００では、ホストコンピュータ４４から送信された印刷ジョブを受信し、次のステップ１０２では、受信したジョブデータを解析することにより、顧客ごとに設定されている識別子である顧客ＩＤを抽出する。
【００７４】
この後、ステップ１０４では、抽出した顧客ＩＤに対して設定したカウント値Ｃを初期化する（Ｃ＝０）。また、ステップ１０６では、顧客ＩＤと、顧客ＩＤに対応するカウント値Ｃを記憶部６０に記憶する。
【００７５】
一方、ステップ１０８では、ジョブデータをイメージ展開（ページデータをイメージ展開）して印刷データ（ラスタデータ）を生成する。これと共に、ステップ１１０では、顧客ＩＤとカウント値Ｃから識別データを生成し、この識別データをイメージ展開することにより印刷処理に用いる印刷データ（ラスタデータ）を生成する。
【００７６】
この後、ステップ１１２では、識別データが、記録紙１６の最初のページに印刷されるようにジョブデータに基づいたページデータと、識別データの合成処理を行い、ステップ１１４では、合成したデータに基づいて印刷処理を実行する。  すなわち、データ合成した印刷データを画像形成部２０へ出力することにより印刷データに基づいた記録紙１６への印刷処理が実行される。
【００７７】
この後、ステップ１１６では、記録紙１６への印刷処理が行われると、記録紙検出センサ５６が識別データを検出する。この記録紙検出センサ５６の検出結果に基づいて、顧客ＩＤに対応するカウント値Ｃを更新（カウントアップ、Ｃ＝Ｃ＋１）して、更新したカウント値Ｃを記憶部６０に記憶する。
【００７８】
これにより、例えば、図４（Ｂ）に示されるように、記録紙１６には、ジョブデータに基づいた情報が印刷されると共に、最初のページ（ここでは記録紙１６の表面）に、カウント値Ｃに基づいた再プリント回数６２と、顧客ＩＤ及びカウント値Ｃに基づいたバーコード６４が印刷される。
【００７９】
これにより、正常に印刷処理が終了したジョブデータに対しては、記憶部６０に記憶されているカウント値ＣがＣ＝１となっている。
【００８０】
一方、コントローラ部２４では、印刷不良の有無を検出しており、印刷不良が発生したジョブデータに対しては、再印刷を行う。
【００８１】
例えば、図６（Ａ）に示されるように、最初の印刷処理を行ったときに、記録紙１６の表面の印刷処理は正常に終了したが、裏面の印刷処理が正常に終了されなかったときには、再印刷処理を行う。
【００８２】
図５（Ｂ）には、再印刷処理の概略を示している。再印刷処理を行うときには、最初のステップ１２０で、記憶部６０に記憶されている該当ジョブデータの顧客ＩＤと顧客ＩＤに対応するカウント値Ｃを読み出し、再印刷を行なうジョブデータの顧客ＩＤ及びカウント値Ｃとして記憶する。このとき、再印刷が実行されるジョブデータに対しては、既にカウント値Ｃが設定されると共に、最初の印刷処理が実行されていることから、カウント値Ｃがカウントアップされている（Ｃ＝１）。
【００８３】
次のステップ１２２では、顧客ＩＤ及びカウント値Ｃから識別データを生成し、この識別データに対してイメージ展開を行なうことにより印刷データを生成し、ステップ１２４では、この識別データの印刷データとジョブデータの印刷データを合成する。
【００８４】
この後、合成した印刷データに基づいた印刷処理を実行し（ステップ１２６）、印刷処理された記録紙１６から記録紙検出センサ５６が識別データを検出することにより、カウント値Ｃを更新し（カウントアップ、Ｃ＝Ｃ＋１）、記憶部６０に記憶する。
【００８５】
これにより、印刷処理された記録紙１６には、再プリント回数６２に「０１」が印刷され、この再プリント回数６２から、該当記録紙１６が再プリントされたものであると判断することができる。また、再度、印刷不良が生じると、図６（Ｂ）に示されるように、再プリント回数６２が「０２」となった印刷出力が得られると共に、記憶部６０には、カウント値Ｃとして、印刷回数が記憶される。
【００８６】
印刷処理装置１２では、このようにして印刷処理、再印刷処理を行うことにより、記憶部６０には、顧客ＩＤごとに実行された印刷回数（プリント回数）が記憶される。これにより、記憶部６０に記憶された情報から、記録紙１６を破棄しなければならない印刷不良が発生したか否かと共に、印刷不良が発生しているときには、その回数が適正に認識可能となる。
【００８７】
一方、この印刷処理装置１２が設けられている印刷管理システム１０には、印刷管理サーバ６６及びシュレッダ７０が設けられており、印刷管理サーバ６６は、印刷処理装置１２が記憶部６０に記憶している印刷ジョブごとの顧客ＩＤと顧客ＩＤに対応するプリント回数となるカウント値を読み込んで格納する。また、印刷管理サーバ６６では、格納している顧客ＩＤごとの印刷結果の状態の閲覧が可能となるようにしている。なお、印刷管理サーバ６６は、少なくとも再プリントが実行された顧客ＩＤと顧客ＩＤに対するプリント回数を記憶するものであれば良く、再プリントが行われていない時（カウント値Ｃ＝１）の顧客ＩＤの格納を省略することができる。
【００８８】
これと共に、印刷管理サーバ６６では、シュレッダ７０の処理結果が入力されることにより、格納している印刷結果の更新を行うようにしている。
【００８９】
一方、印刷処理装置１２では、印刷不良が検出された記録紙１６をパージトレイ４２へ排出するようにしており、パージトレイ４２に排出された記録紙１６は、シュレッダ７０によって細断処理されることにより、記録されている情報の視認ができないようにされる。
【００９０】
ここで、シュレッダ７０には、バーコードリーダ７２やキーボード７４が設けられており、再プリント回数６２、顧客ＩＤないしバーコード６４が印刷されている記録紙１６を細断する時には、バーコードリーダ７２によってバーコード６４の読み込みながら行われるか、顧客ＩＤ及び再プリント回数６２をキーボード７４から入力しながら行われる。
【００９１】
これにより、シュレッダ７０は、バーコードリーダ７２によって読み込まれるかキーボード７４から入力された顧客ＩＤ及び再プリント回数を、細断処理の完了した記録紙１６の情報として印刷管理サーバ６６へ出力する。
【００９２】
印刷管理サーバ６６は、シュレッダ７０から入力される情報に基づいて印刷結果の情報を更新するようにしており、このときの処理の一例を図７に示している。
【００９３】
このフローチャートでは、最初のステップ１３０で、シュレッダ７０からの入力の有無を確認し、シュレッダ７０から顧客ＩＤ及び際プリント回数の入力があることによりステップ１３０で肯定判定してステップ１３２へ移行する。このステップ１３２では、入力された顧客ＩＤ及び再プリント回数を読み込む。
【００９４】
この後、ステップ１３４では、入力された顧客ＩＤ及び際プリント回数によって特定される印刷結果に対する情報を、「細断処理完了」に書き換える。
【００９５】
これにより、図８に示されるように、２回の再プリントを行ったときに、記録紙１６の再プリント回数６２に対応して３回分の印刷出力が得られ、このうち、最終回（ここでは、再プリントカウンタ０２）の印刷結果は、正常に印刷処理が終了して、顧客に届けられるものとして処理されるので、印刷結果の状態として「正常終了」等の情報が格納される。
【００９６】
ここで、再プリント回数が「００」、「０１」の印刷結果に対しては、破棄されるものとして印刷処理装置１２のパージトレイ４２に集積され、シュレッダ７０によって細断処理されることにより、印刷結果に対する状態として「細断処理完了」とする情報が、印刷管理サーバ６６に格納される。
【００９７】
これにより、例えば、再プリント回数が「１」（「０１」）以上の印刷結果を受け取った顧客は、例えば、予め印刷管理サーバ６６上に設定されているＵＲＬにアクセスし、顧客ＩＤを指定することにより、該当顧客ＩＤに対する印刷結果を、例えば、図８に示されるウインド７８などで確認することができる。
【００９８】
これにより顧客は、自身の情報が漏洩してしまう可能が残っているか否かを的確に把握することができる。また、印刷処理装置１２を操作するオペレータは、印刷不良として破棄しなければならない印刷結果が、的確に破棄されているかを確認することが可能となる。
【００９９】
なお、以上説明した本実施の形態は、本発明の構成を限定するものではない。例えば、本実施の形態では、ホストコンピュータ４４と別に印刷管理サーバ６６を設けたが、ホストコンピュータ４４に印刷管理サーバ６６の機能を合わせ持たせ、ホストコンピュータ４４で作成した印刷ジョブに基づいた各処理が、顧客情報が漏洩しないように確実に実行されているかを含めて管理することができる。
【０１００】
また、印刷処理装置１２に印刷管理サーバ６６の機能を合わせ持たせると共に、印刷処理装置１２とシュレッダ７０を接続するようにしても良く、これにより、印刷処理装置１２で、印刷不良を検出したときに、該当処理結果に対する適切な処理を完了しているか否かを含めて管理することが可能となる。
【０１０１】
さらに、本実施の形態では、１顧客分の情報を１枚の記録紙１６の表裏両面に形成するときを例に説明したが、本発明は、これに限らず、１顧客分の情報を複数ページに印刷処理するときにも適用することができる。このときには、各記録紙１６に顧客ＩＤとページ及び顧客ＩＤとページごとのカウント値を設定して印刷処理及び記憶処理を行うようにすれば良い。
【０１０２】
また、本実施の形態では、識別データをバーコード化して記録紙１６に記録したが、これに限らず、ＱＲコードなどの二次元コードを適用しても良く、このときには、ＱＲコードなどを読取可能なコードリーダを用いればよい。また、本発明は、これに限らず、任意のコード化を適用することができ、入力手段としては、適用したコードに応じたものを設ければ良い。
【０１０３】
また、以上説明した本実施の形態では、印刷処理装置１２を例に説明したが、本発明はこれに限らず、任意の構成の印刷処理装置に適用することができる。
【図面の簡単な説明】
【０１０４】
【図１】本実施の形態に適用した印刷管理システムの概略構成図である。
【図２】印刷管理システムに用いる印刷処理装置の一例を示す概略構成図である。
【図３】印刷処理装置のコントローラ部の要部を示す機能ブロック図である。
【図４】（Ａ）は通常の印刷結果の一例を示す概略図、（Ｂ）は本実施の形態に適用される印刷結果の一例を示す概略図である。
【図５】（Ａ）は印刷処理装置で実行される印刷処理の概略を示す流れ図、（Ｂ）は再印刷処理の概略を示す流れ図である。
【図６】（Ａ）は印刷不良の一例を示す概略図、（Ｂ）は正常に印刷処理が終了した一例を示す概略図である。
【図７】印刷結果の状態の更新処理の一例を示す流れ図である。
【図８】印刷結果の状態の確認用とするウインドの一例を示す概略図である。
【符号の説明】
【０１０５】
１０    印刷管理システム
１２    印刷処理装置
１６    記録紙
２０    画像形成部
２４    コントローラ部
３０    現像器
３６    定着器
４２    パージトレイ
４４    ホストコンピュータ
４８    識別情報抽出部
５２    データ合成部
５６    記録紙検出センサ
５８    カウント部
６０    記憶部
６２    再プリント回数
６４    バーコード
６６    印刷管理サーバ
７０    シュレッダ
７２    バーコードリーダ
７４    キーボード
７８    ウインド
【図１】
2008080494.tif 000003
【図２】
2008080494.tif 000004
【図３】
2008080494.tif 000005
【図４】
2008080494.tif 000006
【図５】
2008080494.tif 000007
【図６】
2008080494.tif 000008
【図７】
2008080494.tif 000009
【図８】
2008080494.tif 000010